(57)【要約】【課題】ハイパワーな空気調和機構を搭載しながら、省エネ運転が実施されやすい空気調和システム、空気調和機、および制御方法を提供する。【解決手段】通常運転を行うための第１の空気調和機構１７０，２７０と、ハイパワー運転を行うための第２の空気調和機構１８０と、操作命令を受け付けるための本体操作部１３０と、制御部１１０とを含む空気調和機１０と、空気調和機１０に操作命令を送信するためのリモートコントローラ３００と、を備える空気調和システム１が提供される。制御部１１０は、リモートコントローラ３００からの操作命令に基づいて、少なくとも通常運転と運転停止のいずれかを実行し、本体操作部１３０からの操作命令に基づいて、少なくとも通常運転とハイパワー運転と運転停止のいずれかを実行する。【選択図】図５
2016099031.tif 000002
【特許請求の範囲】
【請求項１】
通常運転を行うための第１の空気調和機構と、ハイパワー運転を行うための第２の空気調和機構と、操作命令を受け付けるための本体操作部と、制御部とを含む空気調和機と、
前記空気調和機に操作命令を送信するためのリモートコントローラと、を備え、
前記制御部は、前記リモートコントローラからの操作命令に基づいて、少なくとも前記通常運転と運転停止のいずれかを実行し、前記本体操作部からの操作命令に基づいて、少なくとも前記通常運転と前記ハイパワー運転と運転停止のいずれかを実行する、空気調和システム。
【請求項２】
前記第１の空気調和機構の熱源はヒートポンプであって、
前記第２の空気調和機構の熱源は電熱あるいは燃料である、請求項１に記載の空気調和システム。
【請求項３】
通常運転を行うための第１の空気調和機構と、ハイパワー運転を行うための第２の空気調和機構と、操作命令を受け付けるための本体操作部と、制御部とを含む空気調和機と、前記空気調和機に操作命令を送信するためのリモートコントローラと、を備える空気調和システムにおける制御方法であって、
前記リモートコントローラが、前記通常運転および運転停止のいずれかの操作命令を前記空気調和機に送信するステップと、
前記制御部が、前記操作命令に基づいて前記通常運転と運転停止のいずれかを実行するステップと、
前記本体操作部が、前記通常運転と前記ハイパワー運転と運転停止のいずれかの操作命令を受け付けるステップと、
前記制御部が、前記操作命令に基づいて前記通常運転と前記ハイパワー運転と運転停止のいずれかを実行するステップとを備える、制御方法。
【請求項４】
通常運転を行うための第１の空気調和機構と、ハイパワー運転を行うための第２の空気調和機構と、操作命令を受け付けるための本体操作部と、制御部とを含む空気調和機であって、
前記制御部は、リモートコントローラからの操作命令に基づいて少なくとも前記通常運転と運転停止のいずれかを実行し、前記本体操作部からの操作命令に基づいて少なくとも前記通常運転と前記ハイパワー運転と運転停止のいずれかを実行する、空気調和機。
【請求項５】
通常運転を行うための第１の空気調和機構と、ハイパワー運転を行うための第２の空気調和機構と、操作命令を受け付けるための本体操作部と、制御部とを含む空気調和機における制御方法であって、
前記制御部が、リモートコントローラからの命令に基づいて前記通常運転と運転停止とのいずれかを実行するステップと、
前記制御部が、前記本体操作部からの命令に基づいて前記通常運転と前記ハイパワー運転と運転停止のいずれかの命令を実行するステップとを備える、制御方法。
【発明の詳細な説明】
【技術分野】
【０００１】
本技術は、暖房運転または冷房運転時に複数の方式の暖房運転または冷房運転を行うハイブリッド型の空気調和システム、空気調和機、および制御方法に関する。
【背景技術】
【０００２】
近年の暖房器具は、冷房機能も兼ね備えているものが多い。そして、省エネ化が進んだヒートポンプ式エアコンが一般的になっている。
【０００３】
ヒートポンプ式エアコンで暖房を行う場合、外気の熱を取り入れることになるため、特に寒冷地では、暖まるまでに時間を要する。そして、室外機が着霜しやすいため、除霜をしばしば行わねばならない。しかしながら、冷房サイクルによるリバース除霜と言われる除霜運転の場合、その間、暖房することができないため、室内機から冷気が漏れ、ユーザが寒さを感じることがある。
【０００４】
そこで、ヒートポンプ以外の他の暖房手段も装備しつつ、始動時や除霜時においても、当該他の暖房手段を用いることによって継続的に暖房が行えるハイブリッド型の暖房機が提案されている。
【０００５】
たとえば、特開２０００−２８１８５（特許文献１）には、空気調和装置が開示されている。特開２０００−２８１８５（特許文献１）によると、空気調和装置は、ガスを燃料とし、その燃焼熱源で冷媒を加熱するガス冷媒加熱機と、冷媒と室外空気との熱交換を行う室外熱交換器と、冷媒と室内空気との熱交換を行う室内熱交換器と、冷媒を循環させる圧縮機と、冷媒の流れを室外熱交換器、または、ガス冷媒加熱機のいずれかに切替える切換弁と、外気温度を検出する外気温度センサと、この外気温度センサからの外気温度信号に応じて切換弁を切替え制御し、空気熱源を利用するヒートポンプ運転と、ガス熱源を利用するガス冷媒加熱運転と、に切替える運転制御手段と、を具備する。
【０００６】
これにより、外気温が低い時には、ガスを燃料とする燃焼熱源によって冷媒を加熱するガス冷媒加熱機による暖房運転を行い、外気温が比較的高い時には、空気熱源を利用したヒートポンプによる暖房運転を行うことができる。
【０００７】
また、特開２０１０−２０３６９９（特許文献２）には、空気調和装置が開示されている。特開２０１０−２０３６９９（特許文献２）によると、空気調和装置は、それぞれが熱交換器を具備する室内機と室外機、および室外機に設置された圧縮機により冷媒が循環される冷凍サイクルと、を有する空気調和装置であって、当該空気調和装置の運転を制御する制御装置と、室内機の外郭を構成し、空気の吸込口と吹出口とを有する筐体と、導電性を有するように形成されるとともに、筐体内に設置され、室内空気を吸込口から吸い込んで吹出口から吹き出すクロスフローファンと、このクロスフローファンの近傍に配置され、高周波数の交流電流が供給される誘導加熱コイルと、を備え、制御装置が、クロスフローファンを回転させるとともに、誘導加熱コイルに高周波数の交流電流を供給して、クロスフローファンを回転させながら電磁誘導加熱する。
【０００８】
これにより、暖房運転開始が指示されると、室内制御装置が、導電性を有するクロスフローファンを回転させながら電磁誘導加熱することにより、冷凍サイクルによるヒートポンプ暖房が立ち上がるまでのヒートポンプ暖房運転準備時間に、電磁誘導加熱されたクロスフローファンからの熱伝達により暖められた空気を吹出口から温風として吹き出すことができるので、使用者の暖房運転の開始指示から温風が吹出口から吹き出るまでの時間を短縮することができる。
【先行技術文献】
【特許文献】
【０００９】
【特許文献１】特開２０００−２８１８５号公報
【特許文献２】特開２０１０−２０３６９９号公報
【発明の概要】
【発明が解決しようとする課題】
【００１０】
しかしながら、特許文献１および２に記載の技術では、リモコンを用いて大人も子供も容易に運転操作を行うことができてしまう。そのため、ヒートポンプのみによる暖房運転よりも多くのエネルギーを消費するガス冷媒加熱または電磁誘導加熱を利用するハイパワー運転モードに移行してしまう可能性が高く、省エネ運転の実施が容易に阻まれてしまう可能性が高い。
【００１１】
本発明は、上記の点を鑑みてなされたもので、ハイパワーな空気調和機構を搭載しながら、省エネ運転が実施されやすい空気調和システム、空気調和機、および制御方法を提供することを目的とする。
【課題を解決するための手段】
【００１２】
この発明のある態様に従うと、通常運転を行うための第１の空気調和機構と、ハイパワー運転を行うための第２の空気調和機構と、操作命令を受け付けるための本体操作部と、制御部とを含む空気調和機と、空気調和機に操作命令を送信するためのリモートコントローラと、を備える空気調和システムが提供される。制御部は、リモートコントローラからの操作命令に基づいて、少なくとも通常運転と運転停止のいずれかを実行し、本体操作部からの操作命令に基づいて、少なくとも通常運転とハイパワー運転と運転停止のいずれかを実行する。
【００１３】
好ましくは、第１の空気調和機構の熱源はヒートポンプである。第２の空気調和機構の熱源は電熱あるいは燃料の燃焼である。
【００１４】
この発明の別の態様に従うと、通常運転を行うための第１の空気調和機構と、ハイパワー運転を行うための第２の空気調和機構と、操作命令を受け付けるための本体操作部と、制御部とを含む空気調和機と、空気調和機に操作命令を送信するためのリモートコントローラと、を備える空気調和システムにおける制御方法が提供される。制御方法は、リモートコントローラが、通常運転および運転停止のいずれかの操作命令を空気調和機に送信するステップと、制御部が、操作命令に基づいて通常運転と運転停止のいずれかを実行するステップと、本体操作部が、通常運転とハイパワー運転と運転停止のいずれかの操作命令を受け付けるステップと、制御部が、操作命令に基づいて通常運転とハイパワー運転と運転停止のいずれかを実行するステップとを備える。
【００１５】
この発明の別の態様に従うと、通常運転を行うための第１の空気調和機構と、ハイパワー運転を行うための第２の空気調和機構と、操作命令を受け付けるための本体操作部と、制御部とを含む空気調和機が提供される。制御部は、リモートコントローラからの操作命令に基づいて少なくとも通常運転と運転停止のいずれかを実行し、本体操作部からの操作命令に基づいて少なくとも通常運転とハイパワー運転と運転停止のいずれかを実行する。
【００１６】
この発明の別の態様に従うと、通常運転を行うための第１の空気調和機構と、ハイパワー運転を行うための第２の空気調和機構と、操作命令を受け付けるための本体操作部と、制御部とを含む空気調和機における制御方法が提供される。制御方法は、制御部が、リモートコントローラからの命令に基づいて通常運転と運転停止とのいずれかを実行するステップと、制御部が、本体操作部からの命令に基づいて通常運転とハイパワー運転と運転停止のいずれかの命令を実行するステップとを備える。
【発明の効果】
【００１７】
以上のように、本発明によれば、ハイパワーな空気調和機構を搭載しながら、省エネ運転が実施されやすい空気調和システム、空気調和機、および制御方法を提供することができる。
【図面の簡単な説明】
【００１８】
【図１】本実施の形態にかかるハイブリッド空気調和システム１の全体構成を示すイメージ図である。
【図２】第１の実施の形態にかかる、現在の動作モードが停止モードの場合における制御部１１０の処理を表すフローチャートである。
【図３】第１の実施の形態にかかる、現在の動作モードが通常運転モードの場合における制御部１１０の処理を表すフローチャートである。
【図４】第１の実施の形態にかかる、現在の動作モードがハイパワー運転モードの場合における制御部１１０の処理を表すフローチャートである。
【図５】本実施の形態にかかるハイブリッド空気調和システム１の動作モードの遷移を表す状態遷移図である。
【図６】第２の実施の形態にかかる、現在の動作モードが停止モードの場合における制御部１１０の処理を表すフローチャートである。
【図７】第２の実施の形態にかかる、現在の動作モードが通常運転モードの場合における制御部１１０の処理を表すフローチャートである。
【図８】ハイパワー運転モードに移行するための操作命令をリモートコントローラ３００から受け付けるか否かを示すデータを示すイメージ図である。
【図９】第３の実施の形態にかかる、現在の動作モードが停止モードの場合における制御部１１０の処理を表すフローチャートである。
【図１０】第３の実施の形態にかかる、現在の動作モードが通常運転モードの場合における制御部１１０の処理を表すフローチャートである。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ハイブリッド空気調和システムの全体構成＞
【００２０】
まず、図１を参照して、本実施の形態にかかるハイブリッド空気調和システム１の全体構成について説明する。なお、図１は、本実施の形態にかかるハイブリッド空気調和システム１の全体構成を示すイメージ図である。
【００２１】
ハイブリッド空気調和システム１は、主に、室内機１００、室外機２００、リモートコントローラ３００を含む。なお、室内機１００と室外機２００とを合わせて、空気調和機１０ともいう。
【００２２】
室内機１００は、主に、制御部１１０と、本体パネル１３０と、スピーカ１４０と、サーミスタ１５０と、赤外線通信部１６０と、ヒートポンプ室内部１７０と、ハイパワー暖房部１８０とを含む。本実施の形態にかかる室内機１００は、本体パネル１３０の操作部やリモートコントローラ３００により操作される。室内機１００は、ヒートポンプなどを利用する第１の空気調和機構を制御する通常運転モード、あるいは電熱や燃料の燃焼などを利用する第２の空気調和機構を制御するハイパワー運転モードで運転される。
【００２３】
制御部１１０は、プロセッサ１１１とメモリ１１２とを含む。プロセッサ１１１は、取得したデータをメモリ１１２に格納したり、メモリ１１２のデータに基づいて後述する各種の処理を実行したりする。たとえば、制御部１１０は、リモートコントローラ３００からの操作命令や本体パネル１３０からの操作命令や、ヒートポンプ室内部１７０とヒートポンプ室外部２７０とハイパワー暖房部１８０からの各種情報や、サーミスタ１５０からの温度情報などを元に、ヒートポンプ室内部１７０とヒートポンプ室外部２７０とハイパワー暖房部１８０とを制御する。また、現在の運転モードや室温等の情報を、赤外線通信部１６０を介して、リモートコントローラ３００に送信する。
【００２４】
本体パネル１３０は、入出力部である。本体パネル１３０は、プロセッサ１１１からの信号に基づいて文字や画像を表示する。本体パネル１３０は、ユーザの命令を直接的に受け付けて当該命令をプロセッサ１１１に受け渡す。たとえば、本実施の形態においては、本体パネル１３０を介して、ユーザは、第１の空気調和機構を運転させるための通常運転モードに移行するための操作命令や、第２の空気調和機構を運転させるためのハイパワー運転モードに移行するための操作命令や、第１および第２の空気調和機構を停止させるための操作命令を入力する。
【００２５】
なお、本体パネル１３０は、液晶画面から成るタッチパネルであってもよい。あるいは、本体パネル１３０は、操作ボタンと表示ＬＥＤから成るパネルであってもよい。あるいは、本体パネル１３０は、液晶画面と操作ボタンから成るパネルであってもよい。すなわち、本体パネル１３０は、ユーザの操作命令を入力できるものであればよい。このように、空気調和機１０に搭載され、ユーザの操作命令の入力を受け付ける部分を、総称して、本体操作部ともいう。
【００２６】
スピーカ１４０は、プロセッサ１１１からの信号に基づいて、メッセージなどの音声を出力する。
【００２７】
赤外線通信部１６０は、リモートコントローラ３００からの信号を受信して、受信データをプロセッサ１１１に受け渡す。本実施の形態にかかる赤外線通信部１６０は、リモートコントローラ３００から、第１の空気調和機構を運転させるための通常運転モードに移行するための操作命令や、第１および第２の空気調和機構を停止させるための操作命令を受け付けて、それらの操作命令をプロセッサ１１１に入力する。
【００２８】
サーミスタ１５０は、室内の温度やヒートポンプ室内部１７０の各部の温度や、ハイパワー暖房部１８０の各部の温度などを検知して、当該検知結果をプロセッサ１１１に受け渡す。これらの検知結果は、プロセッサ１１１が、ヒートポンプ室内部１７０、ヒートポンプ室外部２７０、およびハイパワー暖房部１８０などを制御するときのパラメータとなる。
【００２９】
ヒートポンプ室内部１７０は、プロセッサ１１１または他のコンピュータに制御される。本実施の形態においては、ヒートポンプ室内部１７０は、室外機２００のヒートポンプ室外部２７０と共に、冷媒を利用することによって、暖房および冷房の通常運転を実行する。すなわち、ヒートポンプ室内部１７０とヒートポンプ室外部２７０とは、本実施の形態にかかる第１の空気調和機構を実現する。より詳細には、ヒートポンプ室内部１７０は、冷媒を循環させるためのパイプ、熱交換器、ファン(例えば、クロスフローファン)などで構成される。
【００３０】
ハイパワー暖房部１８０は、たとえば、電熱あるいは燃料の燃焼を熱源とする暖房手段であり、第１の空気調和機構とは異なる方式の第２の空気調和機構を実現する。ハイパワー暖房部１８０も、プロセッサ１１１または他のコンピュータに制御される。より詳細には、ハイパワー暖房部１８０は、内部に、熱発生部と送風ファンで構成される。熱源が電熱の場合は、ハロゲン、カーボン、セラミック等が利用される。熱源が燃料の燃焼による場合は、燃料として灯油、ガス等が用いられる。ハイパワー暖房部１８０は、ヒートポンプ式よりも高出力、高温の熱を発生させる。なお、熱源が燃料の燃焼の場合は、例えば、灯油タンク（図示せず）が室内機１００内に配置されたり、ガス管（図示せず）がガス栓と室内機１００との間に接続されたりする。
【００３１】
室外機２００は、主に、ヒートポンプ室外部２７０を含む。ヒートポンプ室外部２７０は、プロセッサ１１１または他のコンピュータに制御される。本実施の形態においては、ヒートポンプ室外部２７０は、室内機１００のヒートポンプ室内部１７０と共に、冷媒を利用することによって、暖房および冷房の通常運転を実行する。すなわち、ヒートポンプ室内部１７０とヒートポンプ室外部２７０とは、本実施の形態にかかる第１の空気調和機構を実現する。具体的には、ヒートポンプ室外部２７０は、冷媒を循環させるためのパイプ、コンプレッサ、熱交換器、四方弁、冷媒膨張機構(例えば、膨張弁、キャピラリーチューブ)、ファン(例えば、プロペラファン)、サーミスタ、制御用マイコンなどを含む。そして、ヒートポンプ室内部１７０とは、冷媒を循環させるためのパイプ及び、室外部へ電源を供給する電源線、室内機・室外機間通信用の信号線で接続されている。コンプレッサ、熱交換器(室外部側)、四方弁、冷媒膨張機構、熱交換器(室内部側)がパイプ(冷媒配管)により連結されることで冷凍サイクルが構成される。
【００３２】
リモートコントローラ３００は、主に、制御部３１０と、リモコンパネル３３０と、赤外線通信部３６０とを含む。
【００３３】
制御部３１０は、プロセッサ３１１とメモリ３１２とを含む。プロセッサ３１１は、取得したデータをメモリ３１２に格納したり、メモリ３１２のデータに基づいて各種の処理を実行したりする。
【００３４】
リモコンパネル３３０は、入出力部である。リモコンパネル３３０は、プロセッサ３１１からの信号に基づいて文字や画像を表示する。たとえば、リモコンパネル３３０は、室内機１００のサーミスタ１５０で計測された室内の温度や現在の動作状態などを表示させることができる。そして、リモコンパネル３３０は、ユーザの命令を受け付けて、当該命令をプロセッサ３１１に受け渡す。たとえば、リモコンパネル３３０を介して、ユーザは、第１の空気調和機構を運転させるための通常運転モードに移行するための操作命令や、第１および第２の空気調和機構を停止させるための操作命令を入力する。すなわち、本実施の形態においては、リモコンパネル３３０は、第２の空気調和機構を運転させるためのハイパワー運転モードに移行するための命令をユーザから受け付けるための機能を備えていない。
【００３５】
なお、リモコンパネル３３０は、液晶画面から成るタッチパネルであってもよい。あるいは、リモコンパネル３３０は、操作ボタンと表示ＬＥＤから成るパネルであってもよい。あるいは、リモコンパネル３３０は、液晶画面と操作ボタンから成るパネルであってもよい。すなわち、リモコンパネル３３０は、ユーザの操作命令を入力できるものであればよい。このように、リモートコントローラ３００に搭載され、ユーザの操作命令の入力を受け付ける部分を、総称して、リモコン操作部ともいう。
【００３６】
赤外線通信部３６０は、プロセッサ３１１からのデータに基づいて、室内機１００の赤外線通信部１６０に信号を送信する。
【００３７】
なお、本実施の形態においては、室内機１００とリモートコントローラ３００との通信手段として赤外線通信装置を備えているが、ＷｉＦｉ（登録商標）やＢｌｕｅｔｏｏｔｈ（登録商標）などの短距離無線通信などを利用してもよい。
【００３８】
また、本実施の形態においては、室内機１００とリモートコントローラ３００とが互いにデータの送受信ができる（双方向通信タイプ）が、リモートコントローラ３００からの送信のみができるハイブリッド空気調和システム１であってもよい。
＜ハイパワー暖房運転の具体例＞
【００３９】
以下では、ハイパワー暖房運転の具体例について説明する。なお、以下では、説明のために、第１の空気調和機構がヒートポンプ運転を行い、第２の空気調和機構がヒータ運転を行うものとする。
【００４０】
まずは、暖房運転開始時の冷風防止のためのハイパワー暖房運転例について説明する。プロセッサ１１１は、ハイパワー運転で暖房運転を開始した際、ヒートポンプ運転を開始するとともに、ヒータ運転を行う。これにより、暖房運転開始時に室内に冷えた空気を送出することを防止する。その後、室内熱交換器が暖まり、暖房可能な状態になったら、プロセッサ１１１は、ヒータをＯＦＦし、ヒートポンプ運転にて暖房運転を行う。
【００４１】
次に、除霜運転時の冷風防止のためのハイパワー暖房運転例について説明する。プロセッサ１１１は、ヒートポンプ運転中に、室外熱交換器に着霜すると、冷房サイクルによるリバース除霜を行う。このとき、ヒータ運転を開始し、除霜運転中に冷風が室内に送出されることを防止する。リバース除霜運転が終了し、暖房サイクルにてヒートポンプ運転が再開されて、室内熱交換器が暖まり、暖房可能な状態になったら、プロセッサ１１１は、ヒータをＯＦＦし、ヒートポンプ運転にて暖房運転を行う。
【００４２】
次に、早急に部屋の温度を上げるためのハイパワー暖房運転例について説明する。プロセッサ１１１は、ハイパワー運転で暖房運転を開始した際、ヒートポンプ運転を開始するとともに、ヒータ運転を行う。これにより、暖房運転開始時に室内に冷えた空気を送出することを防止する。その後、室内熱交換器が暖まり、暖房可能な状態になったら、プロセッサ１１１は、ヒータを継続してＯＮにしつつ、ヒートポンプ運転とともに暖房運転を行う。設定温度に近づいてきたら(例えば、設定温度に対し２〜３℃の差異になったら)、プロセッサ１１１は、ヒータ運転をＯＦＦし、ヒートポンプ運転のみにて運転を続ける。
【００４３】
なお、上記の運転例に関して、ハイパワー運転においては、プロセッサ１１１は、
１：ヒータ運転のみ（第２の空気調和機構による運転のみ）が行われる状態
２：ヒートポンプ運転のみ（第１の空気調和機構による運転のみ）が行われる状態
３：ヒータ運転（第２の空気調和機構による運転）とヒートポンプ運転（第１の空気調和機構による運転）とが同時に行われる状態
の３つ状態を組み合わせて空気調和機１０を運転する。
＜ハイブリッド空気調和システムの制御方法＞
【００４４】
次に、図２から４を参照しながら、本体操作、あるいはリモコン操作による動作モード移行時の処理の流れを説明する。なお、ハイブリッド空気調和システム１の動作モードには、運転を停止している停止モード、第１の空気調和機構のみを用いて暖房を行う通常運転モード、少なくとも第２の空気調和機構を用いて暖房を行うハイパワー運転モード、の３つの運転モードが存在する。なお、ハイパワー運転モードは、第１および第２の空気調和機構を用いて暖房を行うものであってもよい。
【００４５】
より詳細には、ハイパワー運転モードに関しては、例えば、運転開始直後や除霜時等の、ヒートポンプによる暖房が行えない場合は、第２の空気調和機構のみで暖房を行う。一方、ヒートポンプによる暖房が行える場合、かつ、急速に部屋を暖めたい場合は、第１の空気調和機構と第２の空気調和機構の両方を用いて暖房を行う。なお、いずれの場合においても、部屋が十分に暖まった場合には、第１の空気調和機構のみで暖房を行うことが好ましい。このように、本実施の形態においては、制御部１１０が、適応的に２つの空気調和機構を制御することで暖房運転が行われる。
【００４６】
まず、現在の動作モードが停止モードの場合における運転モード移行の流れについて説明する。図２は、本実施の形態にかかる、現在の動作モードが停止モードの場合における制御部１１０の処理を表すフローチャートである。
【００４７】
制御部１１０が、赤外線通信部１６０を介してリモートコントローラ３００から操作命令を受信した場合、あるいは本体パネル１３０の操作部から操作命令を受け付けた場合に、プロセッサ１１１が以下の処理を実行する。
【００４８】
プロセッサ１１１は、操作命令を受け付けた場合は、当該命令が本体パネル１３０からのものであるか、リモートコントローラ３００からのものであるか否かを判断する（ステップＳ１１１）。当該命令がリモートコントローラ３００からのものである場合（ステップＳ１１１にてＹＥＳである場合）、プロセッサ１１１は、当該命令が通常運転命令を含むか否かを判断する（ステップＳ１１２）。
【００４９】
当該命令が通常運転命令を含まない場合（ステップＳ１１２にてＮＯの場合）、プロセッサ１１１は、次の操作命令を待ち受ける。
【００５０】
当該命令が通常運転命令を含む場合（ステップＳ１１２にてＹＥＳである場合）、プロセッサ１１１は、第１の空気調和機構を運転させて、通常運転を開始する（ステップＳ１１３）。プロセッサ１１１は、次の操作命令を待ち受ける。
【００５１】
一方、当該命令が本体パネル１３０からのものである場合（ステップＳ１１１にてＮＯである場合）、プロセッサ１１１は、当該命令がハイパワー運転命令を含むか否かを判断する（ステップＳ１１６）。当該命令がハイパワー運転命令を含まない場合（ステップＳ１１６にてＮＯの場合）、プロセッサ１１１は、ステップＳ１１２からの処理を実行する。
【００５２】
当該命令がハイパワー運転命令を含む場合（ステップＳ１１６にてＹＥＳである場合）、プロセッサ１１１は、少なくとも第２の空気調和機構を運転させて、ハイパワー運転を開始する（ステップＳ１１７）。プロセッサ１１１は、次の操作命令を待ち受ける。
【００５３】
次に、現在の動作モードが通常運転モードの場合における運転モード移行の流れについて説明する。図３は、本実施の形態にかかる、現在の動作モードが通常運転モードの場合における制御部１１０の処理を表すフローチャートである。
【００５４】
まず、制御部１１０が、赤外線通信部１６０を介してリモートコントローラ３００から操作命令を受信した場合、あるいは本体パネル１３０の操作部から操作命令を受け付けた場合に、プロセッサ１１１が以下の処理を実行する。
【００５５】
プロセッサ１１１は、操作命令を受け付けた場合、当該命令が本体パネル１３０からのものであるか、リモートコントローラ３００からのものであるか否かを判断する（ステップＳ１２１）。当該命令がリモートコントローラ３００からのものである場合（ステップＳ１２１にてＹＥＳである場合）、プロセッサ１１１は、当該命令が停止命令を含むか否かを判断する（ステップＳ１２４）。
【００５６】
当該命令が停止命令を含まない場合（ステップＳ１２４にてＮＯの場合）、プロセッサ１１１は、設定温度変更命令や風量(風速)変更命令、風向変更命令などが含まれていれば、それを実行し、次の操作命令を待ち受ける。
【００５７】
当該命令が停止命令を含む場合（ステップＳ１２４にてＹＥＳである場合）、プロセッサ１１１は、第１の空気調和機構の運転を停止させて、空気調和機１０の運転を停止する（ステップＳ１２５）。プロセッサ１１１は、次の操作命令を待ち受ける。
【００５８】
一方、当該命令が本体パネル１３０からのものである場合（ステップＳ１２１にてＮＯである場合）、プロセッサ１１１は、当該命令がハイパワー運転命令を含むか否かを判断する（ステップＳ１２６）。当該命令がハイパワー運転命令を含まない場合（ステップＳ１２６にてＮＯの場合）、プロセッサ１１１は、ステップＳ１２４からの処理を実行する。
【００５９】
当該命令がハイパワー運転命令を含む場合（ステップＳ１２６にてＹＥＳである場合）、プロセッサ１１１は、第２の空気調和機構を運転させて、ハイパワー運転を開始する（ステップＳ１２７）。プロセッサ１１１は、次の操作命令を待ち受ける。
【００６０】
次に、現在の動作モードがハイパワー運転モードの場合における運転モード移行の流れについて説明する。図４は、本実施の形態にかかる、現在の動作モードがハイパワー運転モードの場合における制御部１１０の処理を表すフローチャートである。
【００６１】
まず、制御部１１０が、赤外線通信部１６０を介してリモートコントローラ３００から操作命令を受信した場合、あるいは本体パネル１３０の操作部から操作命令を受け付けた場合に、プロセッサ１１１が以下の処理を実行する。
【００６２】
プロセッサ１１１は、操作命令を受け付けた場合は、当該命令が本体パネル１３０からのものであっても、リモートコントローラ３００からのものであっても、当該命令が通常運転命令を含むか否かを判断する（ステップＳ１３２）。
【００６３】
当該命令が通常運転命令を含む場合（ステップＳ１３２にてＹＥＳである場合）、プロセッサ１１１は、第１の空気調和機構のみを運転させて、通常運転を開始する（ステップＳ１３３）。プロセッサ１１１は、次の操作命令を待ち受ける。
【００６４】
一方、当該命令が通常運転命令を含まない場合（ステップＳ１３２にてＮＯの場合）、プロセッサ１１１は、当該命令が停止命令を含むか否かを判断する（ステップＳ１３４）。当該命令が運転停止命令を含まない場合（ステップＳ１３４にてＮＯの場合）、プロセッサ１１１は、設定温度変更命令や風量(風速)変更命令、風向変更命令などが含まれていれば、それを実行し、次の操作命令を待ち受ける。
【００６５】
当該命令が運転停止命令を含む場合（ステップＳ１３４にてＹＥＳである場合）、プロセッサ１１１は、第１の空気調和機と第２の空気調和機構との運転を停止させる（ステップＳ１３５）。プロセッサ１１１は、次の操作命令を待ち受ける。
【００６６】
次に、ハイブリッド空気調和システム１の動作モードの遷移についてまとめる。なお、図５は、本体パネル１３０あるいは赤外線通信部１６０を経由したリモートコントローラ３００からの操作信号を制御部１１０が受信した場合における、ハイブリッド空気調和システム１の動作モードの遷移を表す状態遷移図である。
【００６７】
まず、図５を参照して、ハイブリッド空気調和システム１が停止モードにある場合、本体パネル１３０からハイパワー運転信号を受信した場合、停止モードからハイパワー運転モードに遷移する（図２のステップＳ１１７）。一方、本体パネルあるいはリモートコントローラ３００から通常運転信号を受信した場合は、通常運転モードに遷移する（図２のステップＳ１１３）。
【００６８】
次に、ハイブリッド空気調和システム１が通常運転モードにある場合、本体パネル１３０あるいはリモートコントローラ３００から停止信号を受信すると、通常運転モードから停止モードに遷移する（図３のステップＳ１２５）。一方、本体パネル１３０からハイパワー運転信号を受信した場合は、ハイパワー運転モードに遷移する（図３のステップＳ１２７）。
【００６９】
次に、ハイブリッド空気調和システム１がハイパワー運転モードにある場合、本体パネルあるいはリモートコントローラ３００から停止信号を受信すると、ハイパワー運転モードから停止モードに遷移する（図４のステップＳ１３５）。一方、本体パネルあるいはリモートコントローラ３００から通常運転信号を受信した場合は、通常運転モードに遷移する（図４のステップＳ１３３）。
【００７０】
このように、本実施の形態においては、リモートコントローラ３００からはハイパワー運転信号が送信されることはないため、リモコン操作により、ハイパワー運転モードに遷移することはない。ただし、リモートコントローラ３００からも、通常運転信号、あるいは停止信号が送信されるため、リモコン操作により、ハイパワー運転モードから通常運転モード、あるいは、ハイパワー運転モードから停止モードに遷移させることができる。
＜第２の実施の形態＞
【００７１】
第１の実施の形態では、リモートコントローラ３００からハイパワー運転信号が送信されることはなかった。すなわち、リモートコントローラ３００が、ハイパワー運転を開始するための操作命令を受け付ける機能を有していなかった。言い換えれば、ハイパワー運転を指示する操作ボタンなどが存在しない、あるいは、存在し、押圧されても無視する仕様であった。しかしながら、本実施の形態においては、リモートコントローラ３００はハイパワー運転するための操作命令を受け付けるが、当該操作命令を拒否する旨の音声を出力するものである。
＜ハイブリッド空気調和システムの全体構成＞
【００７２】
本実施の形態にかかるハイブリッド空気調和システム１の全体構成については、第１の実施の形態のそれと同様であるため、ここでは説明を繰り返さない。
【００７３】
ただし、本実施の形態にかかる赤外線通信部１６０は、リモートコントローラ３００から、第１の空気調和機構を運転させるための通常運転モードに移行するための操作命令や、第２の空気調和機構を運転させるためのハイパワー運転モードに移行するための操作命令や、第１および第２の空気調和機構を停止させるための操作命令を受け付けて、それらの操作命令をプロセッサ１１１に入力する。そして、プロセッサ１１１は、第２の空気調和機構を運転させるためのハイパワー運転モードに移行するための操作命令を受け付けたときに、「リモコンからは第２の空気調和機構を運転させるためのハイパワー運転モードに移行するための操作命令を入力できません。本体操作部をご利用ください。」というメッセージなどのエラー音声をスピーカ１４０に出力させる。
【００７４】
そして、本実施の形態においては、ユーザは、リモコンパネル３３０に、第１の空気調和機構を運転させるための通常運転モードに移行するための操作命令や、第１および第２の空気調和機構を停止させるための操作命令を入力する。あるいは、ユーザは、本体パネル１３０に、第２の空気調和機構を運転させるためのハイパワー運転モードに移行するための操作命令や、第１および第２の空気調和機構を停止させるための操作命令を入力する。
＜ハイブリッド空気調和システムの制御方法＞
【００７５】
次に、図６、図７、図４を参照しながら、本体操作あるいはリモコン操作による動作モード移行時の処理の流れを説明する。なお、本実施の形態においても、ハイブリッド空気調和システム１の動作モードには、運転を停止している停止モード、第１の空気調和機構のみを用いて暖房を行う通常運転モード、少なくとも第２の空気調和機構を用いて暖房を行うハイパワー運転モード、の３つの運転モードが存在する。
【００７６】
より詳細には、ハイパワー運転モードに関しては、例えば、運転開始直後や除霜時等の、ヒートポンプによる暖房が行えない場合は、第２の空気調和機構のみで暖房を行う。一方、ヒートポンプによる暖房が行える場合、かつ、急速に部屋を暖めたい場合は、第１の空気調和機構と第２の空気調和機構の両方を用いて暖房を行う。なお、いずれの場合においても、部屋が十分に暖まった場合には、第１の空気調和機構のみで暖房を行うことが好ましい。このように、本実施の形態においては、制御部１１０が、適応的に２つの空気調和機構を制御することで暖房運転が行われる。
【００７７】
まず、現在の動作モードが停止モードの場合における運転モード移行の流れについて説明する。図６は、本実施の形態にかかる、現在の動作モードが停止モードの場合における制御部１１０の処理を表すフローチャートである。
【００７８】
制御部１１０が、赤外線通信部１６０を介してリモートコントローラ３００から操作命令を受信した場合、あるいは本体パネル１３０の操作部から操作命令を受け付けた場合に、プロセッサ１１１が以下の処理を実行する。
【００７９】
プロセッサ１１１は、操作命令を受け付けた場合は、当該命令が本体パネル１３０からのものであるか、リモートコントローラ３００からのものであるか否かを判断する（ステップＳ２１１）。当該命令がリモートコントローラ３００からのものである場合（ステップＳ２１１にてＹＥＳである場合）、プロセッサ１１１は、当該命令が通常運転命令を含むか否かを判断する（ステップＳ２１２）。
【００８０】
当該命令が通常運転命令を含まない場合（ステップＳ２１２にてＮＯの場合）、プロセッサ１１１は、当該命令がハイパワー運転命令を含むか否かを判断する(ステップＳ２１８)。プロセッサ１１１は、当該命令がハイパワー運転命令を含まない場合(ステップＳ２１８においてＮＯである場合)、設定温度変更命令や風量(風速)変更命令、風向変更命令などが含まれていれば、それを実行し、次の操作命令を待ち受ける。
【００８１】
当該命令がハイパワー運転命令を含む場合（ステップＳ２１８にてＹＥＳである場合）、プロセッサ１１１は、「リモコンからは第２の空気調和機構を運転させるためのハイパワー運転モードに移行するための操作命令を入力できません。本体パネルをご利用ください。」というメッセージなどのエラー音声をスピーカ１４０に出力させる(ステップＳ２１９)。プロセッサ１１１は、次の操作命令を待ち受ける。
【００８２】
当該命令が通常運転命令を含む場合（ステップＳ２１２にてＹＥＳである場合）、プロセッサ１１１は、第１の空気調和機構を運転させて、通常運転を開始する（ステップＳ２１３）。プロセッサ１１１は、次の操作命令を待ち受ける。
【００８３】
一方、当該命令が本体パネル１３０からのものである場合（ステップＳ２１１にてＮＯである場合）、プロセッサ１１１は、当該命令がハイパワー運転命令を含むか否かを判断する（ステップＳ２１６）。当該命令がハイパワー運転命令を含まない場合（ステップＳ２１６にてＮＯの場合）、プロセッサ１１１は、ステップＳ２１２からの処理を実行する。
【００８４】
当該命令がハイパワー運転命令を含む場合（ステップＳ２１６にてＹＥＳである場合）、プロセッサ１１１は、第２の空気調和機構を運転させて、ハイパワー運転を開始する（ステップＳ２１７）。プロセッサ１１１は、次の操作命令を待ち受ける。
【００８５】
次に、現在の動作モードが通常運転モードの場合における運転モード移行の流れについて説明する。図７は、本実施の形態にかかる、現在の動作モードが通常運転モードの場合における制御部１１０の処理を表すフローチャートである。
【００８６】
まず、制御部１１０が、赤外線通信部１６０を介してリモートコントローラ３００から操作命令を受信した場合、あるいは本体パネル１３０の操作部から操作命令を受け付けた場合に、プロセッサ１１１が以下の処理を実行する。
【００８７】
プロセッサ１１１は、操作命令を受け付けた場合、当該命令が本体パネル１３０からのものであるか、リモートコントローラ３００からのものであるか否かを判断する（ステップＳ２２１）。当該命令がリモートコントローラ３００からのものである場合（ステップＳ２２１にてＹＥＳである場合）、プロセッサ１１１は、当該命令が停止命令を含むか否かを判断する（ステップＳ２２４）。
【００８８】
当該命令が停止命令を含まない場合（ステップＳ２２４にてＮＯの場合）、プロセッサ１１１は、当該命令がハイパワー運転命令を含むか否かを判断する(ステップＳ２２８)。プロセッサ１１１は、当該命令がハイパワー運転命令を含まない場合(ステップＳ２２８においてＮＯである場合)、設定温度変更命令や風量(風速)変更命令、風向変更命令などが含まれていれば、それを実行し、次の操作命令を待ち受ける。
【００８９】
当該命令がハイパワー運転命令を含む場合（ステップＳ２２８にてＹＥＳである場合）、プロセッサ１１１は、「リモコンからは第２の空気調和機構を運転させるためのハイパワー運転モードに移行するための操作命令を入力できません。本体操作部をご利用ください。」というメッセージなどのエラー音声をスピーカ１４０に出力させる(ステップＳ２２９)。プロセッサ１１１は、次の操作命令を待ち受ける。
【００９０】
当該命令が停止命令を含む場合（ステップＳ２２４にてＹＥＳである場合）、プロセッサ１１１は、第１の空気調和機構の運転を停止させて、空気調和機１０の運転を停止する（ステップＳ２２５）。プロセッサ１１１は、次の操作命令を待ち受ける。
【００９１】
一方、当該命令が本体パネル１３０からのものである場合（ステップＳ２２１にてＮＯである場合）、プロセッサ１１１は、当該命令がハイパワー運転命令を含むか否かを判断する（ステップＳ２２６）。当該命令がハイパワー運転命令を含まない場合（ステップＳ２２６にてＮＯの場合）、プロセッサ１１１は、ステップＳ２２４からの処理を実行する。
【００９２】
当該命令がハイパワー運転命令を含む場合（ステップＳ２２６にてＹＥＳである場合）、プロセッサ１１１は、第２の空気調和機構を運転させて、ハイパワー運転を開始する（ステップＳ２２７）。プロセッサ１１１は、次の操作命令を待ち受ける。
【００９３】
現在の動作モードがハイパワー運転モードの場合における運転モード移行の流れについては、第１の実施の形態のそれと同様であるため、ここでは説明を繰り返さない。
【００９４】
ハイブリッド空気調和システム１の動作モードの遷移についても、第１の実施の形態のそれと同様であるため、ここでは説明を繰り返さない。
＜第３の実施の形態＞
【００９５】
第２の実施の形態においては、リモートコントローラ３００はハイパワー運転するための操作命令を受け付けた場合に当該操作命令を拒否する旨の音声を出力するものであったが、このような形態に限らない。本実施の形態にかかるハイブリッド空気調和システム１は、リモートコントローラ３００からのハイパワー運転命令を受け付けるか拒否するかをユーザが設定できるものである。
＜ハイブリッド空気調和システムの全体構成＞
【００９６】
本実施の形態にかかるハイブリッド空気調和システム１の全体構成については、第２の実施の形態のそれと同様であるため、ここでは説明を繰り返さない。
【００９７】
ただし、本実施の形態にかかる赤外線通信部１６０は、リモートコントローラ３００から、第１の空気調和機構を運転させるための通常運転モードに移行するための操作命令や、第２の空気調和機構を運転させるためのハイパワー運転モードに移行するための操作命令や、第１および第２の空気調和機構を停止させるための操作命令を受け付けて、それらの操作命令をプロセッサ１１１に入力する。
【００９８】
そして、本実施の形態においては、プロセッサ１１１は、リモートコントローラ３００から、あるいは本体パネル１３０から、第２の空気調和機構を運転させるためのハイパワー運転モードに移行するための操作命令をリモートコントローラ３００からも受け付けるか否かを指定するための命令を受け付ける。
【００９９】
より詳細には、図８に示すように、メモリ１１２は、第２の空気調和機構を運転させるためのハイパワー運転モードに移行するための操作命令をリモートコントローラ３００からも受け付けるか否かを示すデータを記憶する。換言すれば、プロセッサ１１１は、リモートコントローラ３００から、あるいは本体パネル１３０から、第２の空気調和機構を運転させるためのハイパワー運転モードに移行するための操作命令をリモートコントローラ３００からも受け付けるか否かを指定するための命令を受け付けた際に、図８に示すように、ハイパワー運転モードに移行するための操作命令をリモートコントローラ３００からも受け付けるか拒否するかを示すデータを更新する。
【０１００】
なお、プロセッサ１１１は、リモートコントローラ３００だけから、あるいは本体パネル１３０だけから、第２の空気調和機構を運転させるためのハイパワー運転モードに移行するための操作命令をリモートコントローラ３００からも受け付けるか否かを指定するための命令を受け付けるものであってもよい。
【０１０１】
そして、プロセッサ１１１は、第２の空気調和機構を運転させるためのハイパワー運転モードに移行するための操作命令をリモートコントローラ３００からも受け付ける旨の指定命令を受け付けている場合には、赤外線通信部１６０を介してリモートコントローラ３００から、第２の空気調和機構を運転させるためのハイパワー運転モードに移行するための操作命令を受け付けて、ハイパワー運転モードへ移行する。
【０１０２】
一方、プロセッサ１１１は、リモートコントローラ３００からの第２の空気調和機構を運転させるためのハイパワー運転モードに移行するための操作命令を拒否する旨の指定命令を受け付けている場合には、赤外線通信部１６０を介してリモートコントローラ３００から、第２の空気調和機構を運転させるためのハイパワー運転モードに移行するための操作命令を受け付けたときに、「リモコンからは第２の空気調和機構を運転させるためのハイパワー運転モードに移行するための操作命令を入力できません。本体操作部をご利用ください。」というメッセージなどのエラー音声をスピーカ１４０に出力させる。
【０１０３】
そして、本実施の形態においては、ユーザは、リモコンパネル３３０を介して、第１の空気調和機構を運転させるための通常運転モードに移行するための操作命令や、第１および第２の空気調和機構を停止させるための操作命令を入力する。あるいは、ユーザは、本体パネル１３０に、第２の空気調和機構を運転させるためのハイパワー運転モードに移行するための操作命令や、第１および第２の空気調和機構を停止させるための操作命令を入力する。
＜ハイブリッド空気調和システムの制御方法＞
【０１０４】
まず、ハイパワー運転モードに移行するための操作命令をリモートコントローラ３００からも受け付ける旨の指定がされていない場合については、本体操作あるいはリモコン操作による動作モード移行時の処理の流れは、図６、図７、図４に示すように、第２の実施の形態のそれと同様であるため、ここでは説明を繰り返さない。
【０１０５】
以下では、ハイパワー運転モードに移行するための操作命令をリモートコントローラ３００からも受け付ける旨の指定がされている場合について、図９、図１０、図４を参照しながら、本体操作あるいはリモコン操作による動作モード移行時の処理の流れを説明する。なお、本実施の形態においても、ハイブリッド空気調和システム１の動作モードには、運転を停止している停止モード、第１の空気調和機構のみを用いて暖房を行う通常運転モード、少なくとも第２の空気調和機構を用いて暖房を行うハイパワー運転モード、の３つの運転モードが存在する。
【０１０６】
より詳細には、ハイパワー運転モードに関しては、例えば、運転開始直後や除霜時等の、ヒートポンプによる暖房が行えない場合は、第２の空気調和機構のみで暖房を行う。一方、ヒートポンプによる暖房が行える場合、かつ、急速に部屋を暖めたい場合は、第１の空気調和機構と第２の空気調和機構の両方を用いて暖房を行う。なお、いずれの場合においても、部屋が十分に暖まった場合には、第１の空気調和機構のみで暖房を行うことが好ましい。このように、本実施の形態においては、制御部１１０が、適応的に２つの空気調和機構を制御することで暖房運転が行われる。
【０１０７】
まず、現在の動作モードが停止モードの場合における運転モード移行の流れについて説明する。図９は、本実施の形態にかかる、現在の動作モードが停止モードの場合における制御部１１０の処理を表すフローチャートである。
【０１０８】
プロセッサ１１１は、赤外線通信部１６０を介してリモートコントローラ３００から操作命令を受信した場合も、あるいは本体パネル１３０の操作部から操作命令を受け付けた場合も、以下の処理を実行する。
【０１０９】
プロセッサ１１１は、当該命令がハイパワー運転命令を含むか否かを判断する(ステップＳ３１６)。プロセッサ１１１は、当該命令がハイパワー運転命令を含まない場合(ステップＳ３１６においてＮＯである場合)、当該命令が通常運転命令を含むか否かを判断する（ステップＳ３１２）。
【０１１０】
当該命令が通常運転命令を含まない場合（ステップＳ３１２にてＮＯの場合）、プロセッサ１１１は、設定温度変更命令や風量(風速)変更命令、風向変更命令などが含まれていれば、それを実行し、次の操作命令を待ち受ける。
【０１１１】
当該命令が通常運転命令を含む場合（ステップＳ３１２にてＹＥＳである場合）、プロセッサ１１１は、第１の空気調和機構を運転させて、通常運転を開始する（ステップＳ３１３）。プロセッサ１１１は、次の操作命令を待ち受ける。
【０１１２】
一方、当該命令がハイパワー運転命令を含む場合（ステップＳ３１６にてＹＥＳである場合）、プロセッサ１１１は、少なくとも第２の空気調和機構を運転させて、ハイパワー運転を開始する（ステップＳ３１７）。プロセッサ１１１は、次の操作命令を待ち受ける。
【０１１３】
次に、現在の動作モードが通常運転モードの場合における運転モード移行の流れについて説明する。図１０は、本実施の形態にかかる、現在の動作モードが通常運転モードの場合における制御部１１０の処理を表すフローチャートである。
【０１１４】
プロセッサ１１１は、赤外線通信部１６０を介してリモートコントローラ３００から操作命令を受信した場合も、あるいは本体パネル１３０の操作部から操作命令を受け付けた場合も、以下の処理を実行する。
【０１１５】
まず、プロセッサ１１１は、当該命令がハイパワー運転命令を含むか否かを判断する（ステップＳ３２６）。当該命令がハイパワー運転命令を含まない場合（ステップＳ３２６にてＮＯの場合）、プロセッサ１１１は、当該命令が停止命令を含むか否かを判断する（ステップＳ３２４）。
【０１１６】
当該命令が停止命令を含まない場合（ステップＳ３２４にてＮＯの場合）、プロセッサ１１１は、設定温度変更命令や風量(風速)変更命令、風向変更命令などが含まれていれば、それを実行し、次の操作命令を待ち受ける。
【０１１７】
当該命令が停止命令を含む場合（ステップＳ３２４にてＹＥＳである場合）、プロセッサ１１１は、第１の空気調和機構の運転を停止させて、空気調和機１０の運転を停止する（ステップＳ３２５）。プロセッサ１１１は、次の操作命令を待ち受ける。
【０１１８】
一方、当該命令がハイパワー運転命令を含む場合（ステップＳ３２６にてＹＥＳである場合）、プロセッサ１１１は、第２の空気調和機構を運転させて、ハイパワー運転を開始する（ステップＳ３２７）。プロセッサ１１１は、次の操作命令を待ち受ける。
【０１１９】
現在の動作モードがハイパワー運転モードの場合における運転モード移行の流れについては、第１の実施の形態のそれと同様であるため、ここでは説明を繰り返さない。
【０１２０】
ハイブリッド空気調和システム１の動作モードの遷移についても、第１の実施の形態のそれと同様であるため、ここでは説明を繰り返さない。
＜第４の実施の形態＞
【０１２１】
第４の実施の形態として、リモートコントローラ３００が双方向リモコンである場合について説明する。そして、リモートコントローラ３００が液晶表示部を有する場合、本体パネル１３０にてハイパワー運転モードが選択され、ハイパワー運転モードで運転されると、室内機１００は、リモートコントローラ３００にハイパワー運転モードで運転されていることを送信する。リモートコントローラ３００は、液晶表示部に、ハイパワー運転モードで運転されていることを表示する。これにより、ユーザは、本体にわざわざ近づかなくても、ハイパワー運転モードで運転中か否かをリモートコントローラ３００の表示部をみることで確認できるため便利である。
＜第５の実施の形態＞
【０１２２】
第５の実施の形態として、ハイブリッド空気調和システム１が保護モードを有する場合について説明する。すなわち、保護モードにおいては、リモートコントローラ３００にて通常運転モードが選択されている場合、本体パネル１３０においてもハイパワー運転モードを選択できない。これにより、本体パネル１３０を触っている際に、ユーザの意図に反してハイパワー運転モードに変更されてしまうのを防止することができる。この保護モードは、本体にてＯＮ／ＯＦＦを切り替えられるように構成されることが好ましい。
＜第６の実施の形態＞
【０１２３】
上記の第１から第５の実施の形態では、暖房機能に関して、ハイブリッド空気調和システム１が、ヒートポンプなどを利用する第１の空気調和機構を制御する通常運転モードと、電熱や燃料の燃焼などを利用する第２の空気調和機構を制御するハイパワー運転モードと、を有する形態について説明した。しかしながら、第６の実施の形態として、暖房機能に限らず、ハイブリッド空気調和システム１は、冷房機能に関して、省エネ性能が高い第１の空気調和機構を制御する通常運転モードと、第１の空気調和機構よりも冷房能力が高いが省エネ性能が低い少なくとも第２の空気調和機構を制御するハイパワー運転モードとを有してもよい。
＜第７の実施の形態＞
【０１２４】
上記の第１から第６の実施の形態では、ハイブリッド空気調和システム１が、第１の空気調和機構を制御する通常運転モードと、第２の空気調和機構を制御するハイパワー運転モードと、を有する形態について説明した。しかしながら、第７の実施の形態として、２つの運転モードにかぎらず、ハイブリッド空気調和システム１は、他の性質をもった第３の空気調和機構を運転させる第３の運転モードを有してもよい。
＜上記の複数の実施の形態のまとめ＞
【０１２５】
上記の第１から第７の実施の形態においては、通常運転を行うための第１の空気調和機構１７０，２７０と、ハイパワー運転を行うための第２の空気調和機構１８０と、操作命令を受け付けるための本体パネル１３０と、制御部１１０とを含む空気調和機１０と、空気調和機１０に操作命令を送信するためのリモートコントローラ３００と、を備える空気調和システム１が提供される。制御部１１０は、リモートコントローラ３００からの操作命令に基づいて、少なくとも通常運転と運転停止のいずれかを実行し、本体パネル１３０からの操作命令に基づいて、少なくとも通常運転とハイパワー運転と運転停止のいずれかを実行する。
【０１２６】
上記の第１から第７の実施の形態においては、第１の空気調和機構１７０，２７０の熱源はヒートポンプである。たとえば、第２の空気調和機構１８０の熱源は電熱あるいは燃料の燃焼である。
【０１２７】
上記の第１から第７の実施の形態においては、通常運転を行うための第１の空気調和機構１７０，２７０と、ハイパワー運転を行うための第２の空気調和機構１８０と、操作命令を受け付けるための本体パネル１３０と、制御部１１０とを含む空気調和機１０と、空気調和機１０に操作命令を送信するためのリモートコントローラ３００と、を備える空気調和システム１における制御方法が提供される。制御方法は、リモートコントローラ３００が、通常運転および運転停止のいずれかの操作命令を空気調和機１０に送信するステップと、制御部１１０が、操作命令に基づいて通常運転と運転停止のいずれかを実行するステップと、本体パネル１３０が、通常運転とハイパワー運転と運転停止のいずれかの操作命令を受け付けるステップと、制御部１１０が、操作命令に基づいて通常運転とハイパワー運転と運転停止のいずれかを実行するステップとを備える。
【０１２８】
上記の第１から第７の実施の形態においては、通常運転を行うための第１の空気調和機構１７０，２７０と、ハイパワー運転を行うための第２の空気調和機構１８０と、操作命令を受け付けるための本体パネル１３０と、制御部１１０とを含む空気調和機１０が提供される。制御部１１０は、リモートコントローラ３００からの操作命令に基づいて少なくとも通常運転と運転停止のいずれかを実行し、本体パネル１３０からの操作命令に基づいて少なくとも通常運転とハイパワー運転と運転停止のいずれかを実行する。
【０１２９】
上記の第１から第７の実施の形態においては、通常運転を行うための第１の空気調和機構１７０，２７０と、ハイパワー運転を行うための第２の空気調和機構１８０と、操作命令を受け付けるための本体パネル１３０と、制御部１１０とを含む空気調和機１０とを備える空気調和機１０における制御方法が提供される。制御方法は、制御部１１０が、リモートコントローラ３００からの命令に基づいて通常運転と運転停止とのいずれかを実行するステップと、制御部１１０が、本体パネル１３０からの命令に基づいて通常運転とハイパワー運転と運転停止のいずれかの命令を実行するステップとを備える。
【０１３０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１３１】
１        ：ハイブリッド空気調和システム
１０      ：空気調和機
１００    ：室内機
１１０    ：制御部
１１１    ：プロセッサ
１１２    ：メモリ
１３０    ：本体パネル
１４０    ：スピーカ
１５０    ：サーミスタ
１６０    ：赤外線通信部
１７０    ：ヒートポンプ室内部
１８０    ：ハイパワー暖房部
２００    ：室外機
２７０    ：ヒートポンプ室外部
３００    ：リモートコントローラ
３１０    ：制御部
３１１    ：プロセッサ
３１２    ：メモリ
３３０    ：リモコンパネル
３６０    ：赤外線通信部
【図１】
2016099031.tif 000003
【図２】
2016099031.tif 000004
【図３】
2016099031.tif 000005
【図４】
2016099031.tif 000006
【図５】
2016099031.tif 000007
【図６】
2016099031.tif 000008
【図７】
2016099031.tif 000009
【図８】
2016099031.tif 000010
【図９】
2016099031.tif 000011
【図１０】
2016099031.tif 000012